(57)【要約】【課題】  電波修正時計の組立完了後の同調周波数の調整作業を無くして製造工程の簡素化を図りコストダウンを実現すると共に、アフターサービスに於いても、迅速で効率の良いサービスを実現できるアンテナユニットとそれを用いた電波修正時計を提供する。【解決手段】  磁性体材料によって成るコア３と該コア３に巻いた巻線４とを有するアンテナコイル２と、該アンテナコイル２と共に同調回路を形成する同調ＩＣ６を実装したアンテナ回路基板５とを備え、接着剤５ａによって前記アンテナコイル２と前記アンテナ回路基板５を固着して一体化する構成とした。【選択図】      図１
2005130055.tif 000002
【特許請求の範囲】
【請求項１】
電波を受信するアンテナコイルと、該アンテナコイルと共に同調回路を形成する集積回路を実装したアンテナ回路基板とを備えたことを特徴とするアンテナユニット。
【請求項２】
前記アンテナコイルは、磁性体材料によって成るコアと、該コアに巻回した巻線とを有することを特徴とする請求項１記載のアンテナユニット。
【請求項３】
前記アンテナコイルの前記コアと前記アンテナ回路基板が固着手段によって固着され一体化されたことを特徴とする請求項１又は２記載のアンテナユニット。
【請求項４】
前記アンテナコイルは、磁性体材料によって成るコアと、該コアを覆う絶縁性部材と、前記コアと前記絶縁性部材に巻回した巻線とを有することを特徴とする請求項１記載のアンテナユニット。
【請求項５】
前記絶縁性部材は略同一形状で対を成し、前記コアを挟み込んで該コアと前記巻線とを電気的に絶縁することを特徴とする請求項４記載のアンテナユニット。
【請求項６】
前記アンテナコイルの前記絶縁性部材と前記アンテナ回路基板が固着手段によって固着され一体化されたことを特徴とする請求項４又は５記載のアンテナユニット。
【請求項７】
前記アンテナ回路基板は、前記同調回路の同調周波数を調整する同調データを記憶する記憶手段を備えていることを特徴とする請求項１乃至６いずれかに記載のアンテナユニット。
【請求項８】
前記アンテナ回路基板に実装される前記集積回路は、前記同調回路を形成する複数のコンデンサと、該複数のコンデンサを切り替えて同調回路の同調周波数を調整する切替手段とを、有することを特徴とする請求項１乃至７いずれかに記載のアンテナユニット。
【請求項９】
更に、前記集積回路は、前記同調データを記憶する前記記憶手段を内蔵することを特徴とする請求項１乃至８いずれかに記載のアンテナユニット。
【請求項１０】
前記アンテナ回路基板は、前記同調回路の一部として一つ以上のコンデンサを実装することを特徴とする請求項１乃至９いずれかに記載のアンテナユニット。
【請求項１１】
更に、前記アンテナ回路基板は、外部の電子機器と電気的に接続する接続手段を有することを特徴とする請求項１乃至１０いずれかに記載のアンテナユニット。
【請求項１２】
前記アンテナコイルと前記アンテナ回路基板の少なくてもどちらか一方は、前記外部の電子機器の側部形状に対応して略円弧形状を有することを特徴とする請求項１乃至１１いずれかに記載のアンテナユニット。
【請求項１３】
前記外部の電子機器は、電波を受信して時刻修正を行う電波修正時計であり、該電波修正時計の内部に組み込まれることを特徴とする請求項１１又は１２記載のアンテナユニット。
【請求項１４】
請求項１乃至１３いずれかに記載のアンテナユニットを組み込み、該アンテナユニットからの受信信号を前記接続手段を介して入力する時計回路基板と、該時計回路基板に実装され前記受信信号に基づいて時刻修正を行う制御手段と、該制御手段からの時刻情報を表示する表示手段とを有することを特徴とする電波修正時計。
【発明の詳細な説明】
【技術分野】
【０００１】
本発明は、時刻情報を含む電波を受信するアンテナユニットと、該アンテナユニットによって受信した時刻情報に基づき、時刻を自動修正する電波修正時計に関するものである。
【背景技術】
【０００２】
時刻情報を含む標準電波を小型アンテナで受信し、時刻修正を自動的に行う電波修正時計は、アンテナの高性能化、受信装置の低消費電力化、コストダウン等の技術開発が進み、製品化が盛んに行われている。また、標準電波を送信する送信局も日本だけでなく、アメリカ、ヨーロッパ、アジアと各国各地域で建設が進み世界的な広がりを見せている。ここで、特に腕時計型の電波修正時計に組み込まれるアンテナは、受信感度が優れていると共に、電波修正時計が使用者の腕に装着されても煩わしさが無く、また、デザイン的にも違和感が無いように、極めて小型であることが要求されている。
【０００３】
このような要求に対応して、磁性体材料によるコアに導線を巻いたアンテナコイルを備えたアンテナ装置を、電波修正時計と別個に形成し、形成された該アンテナ装置を電波修正時計の時計ケース側部に固着する構成が提案されている（例えば特許文献１参照）。このアンテナ装置は、コアに巻かれた巻線と電波修正時計内部の回路とを接続する接続部材を有し、アンテナ装置と電波修正時計を電気的に接続している。また、該アンテナ装置はアンテナケースによって覆われ、電波修正時計の時計ケースとは、ネジ等によって機械的に結合している。また、該アンテナ装置は、電波修正時計の時計ケース側部の形状に対応して曲がった外形形状を有するので、時計ケース側部に固着されても電波修正時計の外形形状に対する影響が小さく、使用者が電波修正時計を腕に装着してもそれほど煩わしさを感じず、また、デザイン的にも違和感が少ない。
【０００４】
以上のようなアンテナ装置によれば、アンテナ装置と電波修正時計とを個別部品としたので、アンテナ装置と電波修正時計をそれぞれ個別に製造出来、製造工程の分散化、及び簡素化が可能である。また、アンテナ装置は、電波を受信しやすい非金属ケースで覆い、電波修正時計の時計ケースは耐久性や質感の高い金属ケースを用いることが出来るので、受信感度に優れ、耐久性や良い質感を備えた電波修正時計を提供することが出来る。
【０００５】
【特許文献１】国際公開番号ＷＯ９５／２７９２８号公報（特許請求の範囲、第２図及び第７図）
【発明の開示】
【発明が解決しようとする課題】
【０００６】
しかしながら、上記アンテナ装置は、コアと巻線によって成るアンテナコイルだけで構成され、標準電波を選択的に受信するために必要な同調回路としての他の要素であるコンデンサは、電波修正時計の時計回路基板内に配置されているために、製造工程での同調周波数の調整作業や、アフターサービス等に於いて様々な問題を有している。すなわち、電波を受信する同調回路の同調周波数調整作業は、組立を完了した電波修正時計の時計ケースにアンテナ装置を装着した後、同調回路の同調周波数を測定し、該同調周波数が目的とする標準電波の周波数と一致するように、時計回路基板に実装された調整用のコンデンサを付け替える方法で実施される。このため、同調周波数調整作業に多くの調整工数が必要となり、また、組立完了後に調整工程が入るので、時計内部にゴミ等の混入が起きやすく、また、時計ケースに傷等が付かないように細心の注意が必要であり、コストアップや信
頼性低下、品質低下等の課題があった。
【０００７】
また、標準電波の周波数は国や地域の送信局毎に異なっている場合が多く、例えば日本では、福島局が４０ＫＨｚ、九州局が６０ＫＨｚであり、海外では、アメリカのＷＷＶＢが６０ＫＨｚ、ドイツのＤＣＦ７７が７７．５ＫＨｚ、中国のＢＰＣが６８．５ＫＨｚ等である。ここで、電波修正時計を国や地域別に出荷する場合は、それぞれの送信局の送信周波数に同調回路の同調周波数を合わせる必要がある。このため、電波修正時計の時計回路基板に配置される調整用のコンデンサを、予め出荷先の送信局の送信周波数に合わせて選択し実装する必要がある。この結果、出荷先毎に実装部品の異なる時計回路基板を製造する必要があり、在庫管理や出荷管理が煩わしく、製造工程が非効率であった。
【０００８】
更には電波修正時計の出荷後、使用中に衝撃等の原因でアンテナ装置が壊れた場合は、アンテナ装置を交換する必要があるが、新規にアンテナ装置を交換すると、アンテナコイルのインダクタンスのばらつきから、同調周波数の再調整が必要となる。ここで、同調周波数を再調整するには、前述した如く、時計回路基板内に配置されている調整用のコンデンサの付け替え作業が必要となるので、アフターサービスに於いての作業効率がきわめて悪く、且つ、調整作業が必要であるために、店頭での修理が実現困難であった。また、アンテナ装置を電波修正時計と個別部品としているので、電波修正時計の全体形状が、アンテナ装置の大きさだけ大きくなってしまうことは避けられず、デザイン的にも自由度が少なく問題があった。
【０００９】
本発明の目的は上記課題を解決し、電波修正時計の組立完了後の同調周波数の調整作業を無くして製造工程の簡素化を図りコストダウンを実現すると共に、アフターサービスに於いても、調整作業が必要なく簡単な交換作業で修理を実現できるアンテナユニットとそれを用いた電波修正時計を提供することである。
【課題を解決するための手段】
【００１０】
上記課題を解決するために、本発明のアンテナユニットとそれを用いた電波修正時計は、下記記載の構成を採用する。
【００１１】
本発明のアンテナユニットは、電波を受信するアンテナコイルと、該アンテナコイルと共に同調回路を形成する集積回路を実装したアンテナ回路基板とを備えたことを特徴とする。
【００１２】
本発明のアンテナユニットは、アンテナコイルと、該アンテナコイルと共に同調回路を形成する集積回路を備えているので、目的とする電波を選択的に受信する同調回路をアンテナユニット単体で実現することが出来る。
【００１３】
また、前記アンテナコイルは、磁性体材料によって成るコアと、該コアに巻回した巻線とを有することを特徴とする。
【００１４】
これにより、高透磁率材である磁性体材料をアンテナコイルのコアとしているので、小型であっても受信感度の高いアンテナユニットを実現することが出来る。
【００１５】
また、前記アンテナコイルの前記コアと前記アンテナ回路基板が固着手段によって固着され一体化されたことを特徴とする。
【００１６】
これにより、アンテナコイルとアンテナ回路基板が一体化されるので、アンテナコイルとアンテナ回路基板に実装される集積回路によって同調回路が形成され、同調周波数の調整をアンテナユニット単体で実施することが出来る。
【００１７】
また、前記アンテナコイルは、磁性体材料によって成るコアと、該コアを覆う絶縁性部材と、前記コアと前記絶縁性部材に巻回した巻線とを有することを特徴とする。
【００１８】
これにより、高透磁率材である磁性体材料をアンテナコイルのコアとしているので、小型であっても受信感度の高いアンテナユニットを実現することが出来る。
【００１９】
また、前記絶縁性部材は略同一形状で対を成し、前記コアを挟み込んで該コアと前記巻線とを電気的に絶縁することを特徴とする。
【００２０】
これにより、絶縁性部材によってコアと巻線とを確実に絶縁することが出来るので、信頼性の高いアンテナユニットを実現することが出来る。
【００２１】
また、前記アンテナコイルの前記絶縁性部材と前記アンテナ回路基板が固着手段によって固着され一体化されたことを特徴とする。
【００２２】
これにより、アンテナコイルとアンテナ回路基板が一体化されるので、アンテナコイルとアンテナ回路基板に実装される集積回路によって同調回路が形成され、同調周波数の調整をアンテナユニット単体で実施することが出来る。
【００２３】
また、前記アンテナ回路基板は、前記同調回路の同調周波数を調整する同調データを記憶する記憶手段を備えていることを特徴とする。
【００２４】
これにより、同調回路の同調周波数を調整する同調データをアンテナ回路基板内に記憶できるので、同調回路が最適に調整されたアンテナユニットを個々に製造することが出来る。
【００２５】
また、前記アンテナ回路基板に実装される前記集積回路は、前記同調回路を形成する複数のコンデンサと、該複数のコンデンサを切り替えて同調回路の同調周波数を調整する切替手段とを、有することを特徴とする。
【００２６】
これにより、アンテナ回路基板に実装される集積回路のコンデンサを切り替えて同調周波数を調整できるので、アンテナ回路基板に調整用のコンデンサを実装する必要が無く、且つ、該調整用コンデンサを取り替えて同調周波数を調整する必要も無い為、同調回路の同調周波数調整作業が簡素化され、コストダウンや信頼性向上を実現することが出来る。
【００２７】
また更に、前記集積回路は、前記同調データを記憶する前記記憶手段を内蔵することを特徴とする。
【００２８】
これにより、同調データを記憶する記憶手段を集積回路に内蔵するので、アンテナ回路基板に実装する集積回路をワンチップで構成でき、アンテナ回路基板の小型化や実装コストを削減することが出来る。
【００２９】
また、前記アンテナ回路基板は、前記同調回路の一部として一つ以上のコンデンサを実装することを特徴とする。
【００３０】
これにより、集積回路内のコンデンサの合計静電容量値を減らすことが出来るので、集積回路のチップサイズを小さく出来、且つ、アンテナ回路基板に実装されるコンデンサの容量値を選択することにより、同調周波数の粗調整が可能となる。
【００３１】
また更に、前記アンテナ回路基板は、外部の電子機器と電気的に接続する接続手段を有することを特徴とする。
【００３２】
これにより、アンテナユニットは、外部の電子機器と電気的に接続できるので、外部の電子機器に組み込まれ、電波を受信する受信アンテナとして機能することが出来る。
【００３３】
また、前記アンテナコイルと前記アンテナ回路基板の少なくてもどちらか一方は、前記外部の電子機器の側部形状に対応して略円弧形状を有することを特徴とする。
【００３４】
これにより、アンテナユニットは、組み込まれる外部の電子機器の外形形状に沿って効率よく配置することが出来るので、アンテナユニットを組み込むことによる電子機器の外形サイズの増加を最小限に抑えることが出来る。
【００３５】
また、前記外部の電子機器は、電波を受信して時刻修正を行う電波修正時計であり、該電波修正時計の内部に組み込まれることを特徴とする。
【００３６】
これにより、アンテナユニットは、電波修正時計に組み込まれ、時刻情報を有する標準電波を受信し、正しい時刻情報を電波修正時計に出力することが出来る。
【００３７】
本発明の電波修正時計は、前記アンテナユニットを組み込み、該アンテナユニットからの受信信号を前記接続手段を介して入力する時計回路基板と、該時計回路基板に実装され前記受信信号に基づいて時刻修正を行う制御手段と、該制御手段からの時刻情報を表示する表示手段とを有することを特徴とする。
【００３８】
本発明の電波修正時計により、同調周波数が単独で調整されたアンテナユニットを組み込むことが出来るので、電波修正時計の組立後の同調周波数調整作業等が不必要であり、製造工程の簡素化と製造工数の削減を実現することが出来る。
【発明の効果】
【００３９】
上記の如く本発明によれば、電波を受信するアンテナコイルと、該アンテナコイルと共に同調回路を形成する集積回路を実装したアンテナ回路基板とを一体化し、同調周波数が個々に調整されたアンテナユニットを実現できるので、該アンテナユニットを組み込んだ電波修正時計は、該電波修正時計の組立後の同調周波数調整作業が不必要であり、製造工程の簡素化と製造工数の削減を実現することが出来る。また、アフターサービスに於いても、アンテナユニットの交換修理で同調周波数調整作業が必要なく、簡単な交換作業で修理が完了できるので、アフターサービスの迅速化や効率アップを実現出来る。
【発明を実施するための最良の形態】
【００４０】
以下図面により本発明の実施の形態を詳述する。図１は本発明の実施例１に於けるアンテナユニットの正面図である。図２は図１の矢印Ａから見た本発明のアンテナユニットの側面図である。図３は本発明のアンテナユニットの回路ブロック図である。図４は本発明のアンテナユニットを内部に組み込んだ本発明の電波修正時計の分解正面図である。図５は本発明の電波修正時計の回路ブロック図である。図６（ａ）は、本発明のアンテナユニットの同調周波数の調整方法を説明するブロック図であり、図６（ｂ）は、本発明のアンテナユニットの同調周波数の調整工程で得られる受信信号出力特性グラフである。図７は本発明のアンテナユニットの同調周波数調整手順を示したフローチャートである。図８は本発明の実施例２に於けるアンテナユニットの側面図である。
【実施例１】
【００４１】
実施例１としての本発明のアンテナユニットの構成を図１及び図２に基づいて説明する
。１は本発明のアンテナユニットである。２は略円弧形状のアンテナコイルであり、磁性体材料によって成るコア３と、該コア３のコア巻線部３ａに巻回される導線によって成る巻線４とによって構成される。尚、巻線４の詳細形状は省略している。３ｂと３ｃは、コア３を貫通する２つのコア止め穴であり、該コア止め穴３ｂ，３ｃの周辺は凹部が形成されている。３ｄは巻線４の先端である二本の巻線端子４ａ、４ｂを通すためのコア溝である。３ｅはコア絶縁テープであり、コア巻線部３ａと巻線４との間に巻かれ、コア巻線部３ａと巻線４を電気的に絶縁している。
【００４２】
５はアンテナ回路基板であり、一方の側面はアンテナコイル２と同様に略円弧形状を有している。これらの円弧形状は後述するが、アンテナユニット１を組み込む電波修正時計の側面形状に対応したものであり、主な目的はアンテナユニット１を組み込んだ場合のスペース効率を向上させるためであるが、この円弧形状に限定されるものではなく、略直方体形状でも良く、また、Ｌ字型形状等でも良い。５ａは固着手段としての接着剤であって、アンテナ回路基板５の端部裏面とコア３の端部との間に塗布されてアンテナ回路基板５とコア３とを固着し、アンテナ回路基板５とアンテナコイル２は結合し一体化される。５ｂはアンテナ回路基板５を固定するための回路基板止め穴である。尚、上記固着手段は接着剤に限定されず、ネジ止めや圧入等様々な固着方法を用いて良い。
【００４３】
６はアンテナ回路基板５の裏面に実装される集積回路としての同調ＩＣであり、内部構成の詳細は後述する。７ａ、７ｂは、アンテナ回路基板５に実装されるチップ形状のコンデンサである。８ａ〜８ｅは接続手段としての外部接続電極であり、アンテナ回路基板５の裏面の回路基板止め穴５ｂ周辺に略扇状に形成され、後述するがアンテナユニット１を組み込む外部の電子機器としての電波修正時計と電気的に接続する。９ａ、９ｂは、前記巻線端子４ａ、４ｂを半田（図示せず）等によって固着するためのアンテナ接続電極である。尚、図２に於いてアンテナ回路基板５に実装される部品等は省略している。
【００４４】
次に図３に基づいてアンテナユニット１の回路構成を説明する。大きな破線で囲まれたブロックがアンテナユニット１であり、その内部で、小さな破線で囲まれたブロックが同調ＩＣ６を示している。ここで、同調ＩＣ６は同調回路を形成する複数のコンデンサ１０ａ〜１０ｄと、切替手段としての複数のＮチャンネルＭＯＳトランジスタ（以降Ｎ−ＭＯＳと略記）１１ａ〜１１ｅと、カウンタ回路１２、及び、同調データを記憶する記憶手段としてのメモリ回路１３を内蔵している。コンデンサ１０ａ〜１０ｄの一方の端子はそれぞれ共通に接続して受信信号Ｐ５として同調ＩＣ６の外部に出力される。コンデンサ１０ａ〜１０ｄの他方の端子は、前記Ｎ−ＭＯＳ１１ａ〜１１ｄのドレイン端子Ｄにそれぞれ接続される。また、Ｎ−ＭＯＳ１１ｅのドレイン端子Ｄは同調ＩＣ６の外部に出力されて、後述する外部のコンデンサ７ａに接続される。また、Ｎ−ＭＯＳ１１ａ〜１１ｅのソース端子Ｓは、すべてマイナス電源Ｖｓｓに接続される。
【００４５】
Ｐ６はクロック信号であり、外部接続電極８ｂから入力してカウンタ回路１２のクロック端子ＣＬに接続され、Ｐ７はイネーブル信号であり、外部接続電極８ｃから入力してカウンタ回路１２のイネーブル端子ＥＮに接続される。カウンタ回路１２は出力端子Ｑ０〜Ｑ４を有し、制御信号Ｐ０〜Ｐ４を出力する。該制御信号Ｐ０〜Ｐ４は、Ｎ−ＭＯＳ１１ａ〜１１ｅのゲート端子Ｇにそれぞれ入力し、Ｎ−ＭＯＳ１１ａ〜１１ｅをＯＮ／ＯＦＦ制御する。メモリ回路１３は、後述するが外部からの書込み信号Ｐ１３を入力して同調データとして記憶し、カウンタ回路１２に同調データＰ８を出力する。また、同調ＩＣ６にはプラス電源Ｖｄｄとマイナス電源Ｖｓｓが供給され、カウンタ回路１２やメモリ回路１３に接続されて各回路を駆動する。尚、プラス電源Ｖｄｄは、回路の接地電極であるＧＮＤとなる。
【００４６】
同調ＩＣ６の外部でアンテナ回路基板５に実装され同調回路の一部となるコンデンサ７
ａ、７ｂの一方の端子は受信信号Ｐ５に接続され、コンデンサ７ａの他方の端子は前述した如く同調ＩＣ６に接続され、コンデンサ７ｂの他方の端子はマイナス電源Ｖｓｓに接続される。また、アンテナコイル２の巻線端子４ａは受信信号Ｐ５に接続され、他方の巻線端子４ｂはマイナス電源Ｖｓｓに接続される。受信信号Ｐ５は外部接続電極８ｄを介して外部に出力され、マイナス電源Ｖｓｓは外部接続電極８ｅを介して外部に接続され、プラス電源Ｖｄｄは外部接続電極８ａを介して外部に接続される。尚、前記切替手段としてのＮ−ＭＯＳ１１ａ〜１１ｅは当然のことではあるが、ＰチャンネルＭＯＳトランジスタ（以降Ｐ−ＭＯＳと略記）で構成することも出来る。この場合は、各Ｐ−ＭＯＳのソース端子Ｓとコンデンサ７ｂの他方の端子とアンテナコイル２の巻線端子４ｂは、プラス電源Ｖｄｄに接続され、制御信号Ｐ０〜Ｐ４の論理を反転すれば良い。
【００４７】
次にアンテナユニット１の動作を図３に基づいて説明する。図３に於いて、イネーブル信号Ｐ７が論理“０”の期間は、カウンタ回路１２はリセット状態を保ち、出力端子Ｑ０〜Ｑ４より出力される制御信号Ｐ０〜Ｐ４は論理“０”を保持する。この結果、Ｎ−ＭＯＳ１１ａ〜１１ｅのゲート端子Ｇの電位は零ボルトを保持するので、Ｎ−ＭＯＳ１１ａ〜１１ｅは全てＯＦＦ状態となり、内蔵のコンデンサ１０ａ〜１０ｄ、及び外部のコンデンサ７ａはアンテナコイル２に対して切断される。
【００４８】
次にイネーブル信号Ｐ７が論理“１”になると、カウンタ回路１２はリセットが解除され、クロック信号Ｐ６のパルスをカウントするスタンバイ状態となる。ここで、クロック信号Ｐ６によって１個のパルスがクロック端子ＣＬに入力されると、カウンタ回路１２はカウント動作を実行し、出力端子Ｑ０の出力である制御信号Ｐ０が論理“１”となり、Ｎ−ＭＯＳ１１ａがＯＮとなる。同様に、クロック信号Ｐ６によって２個のパルスがクロック端子ＣＬに入力されると、カウント回路１２はカウント動作を実行し、出力端子Ｑ１の出力である制御信号Ｐ１が論理“１”となり、Ｎ−ＭＯＳ１１ｂがＯＮとなる。
【００４９】
同様に、３１個のクロック信号Ｐ６がクロック端子ＣＬに入力されたとすると、カウンタ回路１２は最大カウント数の３１になるので、全ての制御信号Ｐ０〜Ｐ４が論理“１”となり、Ｎ−ＭＯＳ１１ａ〜１１ｅは全てＯＮとなる。この結果、ＯＮとなったＮ−ＭＯＳ１１ａ〜１１ｅにそれぞれ直列に接続されているコンデンサ１０ａ〜１０ｄ、及び外部のコンデンサ７ａはアンテナコイル２に対して全て並列接続され、アンテナコイル２と該アンテナコイル２に接続されるコンデンサ１０ａ〜１０ｄ、外部のコンデンサ７ａ、及び、固定接続のコンデンサ７ｂによって並列共振回路が形成され、該並列共振回路がアンテナユニット１の同調回路として機能する。
【００５０】
ここでアンテナコイル２と該アンテナコイル２にＮ−ＭＯＳ１１ａ〜１１ｅを介して接続されるコンデンサ１０ａ〜１０ｄ、７ａと、固定接続のコンデンサ７ｂによって形成される同調回路の同調周波数（すなわち共振周波数）Ｆは、アンテナコイル２のインダクタンスをＬとし、接続される全てのコンデンサの合成静電容量をＣとすれば、Ｆ＝１／２π√ＬＣとなる（式１）。よって、式１により、合成静電容量ＣがＮ−ＭＯＳ１１ａ〜１１ｅの動作によって可変されると同調周波数Ｆも可変することが理解できる。ここで、アンテナコイル２が同調周波数Ｆに等しい周波数の電波を受信すると、アンテナコイル２とコンデンサ１０ａ〜１０ｅ、７ａ、７ｂによる同調回路のインピーダンスは最大となるので、アンテナコイル２の巻線端子４ａ、４ｂ間に受信電波が選択的に誘起されて受信信号Ｐ５として出力される。
【００５１】
すなわち、本発明のアンテナユニット１は、クロック信号Ｐ６のパルス数に応じてコンデンサ１０ａ〜１０ｄ、７ａをアンテナコイル２に接続又は切断するので、同調周波数Ｆを任意に可変することが出来、この結果、アンテナコイル２に到来する様々な周波数の電波の中から同調周波数Ｆによって選択される特定の電波を選択的に受信することが出来る
。尚、この実施形態に於いては複数のコンデンサ１０ａ〜１０ｄ、７ａは５個であり、該コンデンサ１０ａ〜１０ｅ、７ａを開閉する切替手段としてのＮ−ＭＯＳ１１ａ〜１１ｅも５個であるが、この数に限定されるものではなく、更に広い範囲の同調周波数が必要であればコンデンサとＮ−ＭＯＳの数を増やして良く、また、それほど広い範囲の同調周波数が必要でなければ、コンデンサとＮ−ＭＯＳの数を減らしても良い。
【００５２】
また、コンデンサ１０ａ〜１０ｄ、７ａのそれぞれの静電容量は、カウンタ回路１２の最下位ビットである出力端子Ｑ０によって制御されるコンデンサ１０ａを最も小さい値とし、最上位ビットである出力端子Ｑ４によって制御される外付けコンデンサ７ａを最も大きい値とすることが望ましい。また、外付けのコンデンサ７ａ、７ｂは、同調ＩＣ６に内蔵されるコンデンサ１０ａ〜１０ｄの静電容量を制限し、同調ＩＣ６のチップサイズを必要以上に大きくさせないために有効である。また更には、コンデンサ７ａ、７ｂは容量値を選択することにより、各国や地域別の送信局の送信周波数に同調回路の同調周波数を粗調整するために有効である。よって、コンデンサ７ａ、７ｂは不可欠な部品ではなく、受信する標準電波の周波数や、アンテナコイル２のインダクタンスの値によっては不要としても良い。
【００５３】
また、メモリ回路１３は、フラッシュメモリ等による不揮発性メモリを同調ＩＣ６に内蔵すれば、アンテナ回路基板５に実装するＩＣをワンチップで構成し、アンテナ回路基板５の小型化や実装コストを削減出来るが、この構成に限定されるものではない。例えば、メモリ回路１３を同調ＩＣ６の外付けとして配置しても良く、また、コストの安いヒューズＲＯＭ、又は、アンテナ回路基板５の導電パターンを加工するパターンカット手段であっても良い。
【００５４】
以上のように、本発明のアンテナユニットによれば、アンテナコイル２と同調ＩＣ６を実装したアンテナ回路基板５が、固着手段によって固着され一体化されるので、標準電波を選択的に受信するための同調回路がアンテナユニット１単体で形成される。この結果、同調回路の同調周波数の調整をアンテナユニット１単体で実施することが出来、該アンテナユニット１を組み込む電波修正時計や、他の電子機器の回路構成等に左右されることなく高精度な周波数調整が可能となる。また、本発明のアンテナユニットは、調整された同調周波数の同調データを記憶する記憶手段を備えているので、各国、又は各地域の送信局の標準電波に対応したアンテナユニットを任意に製造可能であり、各国又は各地域に出荷できるワールドワイドなアンテナユニットを提供することが出来る。
【００５５】
次に、図４に基づいてアンテナユニット１を内部に組み込んだ本発明の電波修正時計の内部構成を説明する。図４は説明の便宜上、電池や電池支持枠等を取り外して、アンテナユニット１の組み込み状態を分かりやすく示した電波修正時計の概略図である。図４に於いて、２０はアンテナユニット１を内部に組み込んだ電波修正時計である。２１は金属材料によって成る地板であり、各部品を組み付ける基台として機能する。２２は各電子部品を実装する時計回路基板であり、前記地板２１に図示しないがネジによって固着される。２３は秒分モータであり、表示手段としての秒針（図示せず）、分針（図示せず）を駆動し、２４は時日モータであり、表示手段としての時針（図示せず）、日付表示（図示せず）を駆動する。
【００５６】
尚、実際には、秒分モータ２３の巻線部２３ａと時日モータ２４の巻線部２４ａだけが、時計回路基板２２より露出しているが、ここでは説明の便宜上、秒分モータ２３，時日モータ２４の全体図を表示している。２５、２６は、それぞれ標準電波受信用の水晶振動子であり、時計回路基板２２の上面に実装されている。２７は時計用の水晶振動子であり、時計回路基板２２の裏面に実装されている。２８は受信ＩＣであり、時計回路基板２２の裏面に実装され、水晶振動子２５、２６が接続される。２９は電波修正時計１の全体
を制御し、時刻修正を行う制御手段としてのマイクロコンピュータ（以下、マイコンと略記）であり、時計回路基板２２の裏面に実装されている。
【００５７】
アンテナユニット１は２つのコア止め穴３ｂ、３ｃによって、ネジ（図示せず）を用いて地板２１にネジ止めし固着される。また、アンテナユニット１のアンテナ回路基板５は時計回路基板２２の一部上面に配置され、回路基板止め穴５ｂによってネジ（図示せず）を用いて時計回路基板２２と共に地板２１にネジ止めし固着される。ここで、アンテナ回路基板５の裏面に形成されている外部接続電極８ａ〜８ｅの位置に対応して、時計回路基板２２の上面には接続手段としての受信接続電極（図示せず）が形成されている。この結果、アンテナ回路基板５をネジ（図示せず）によって時計回路基板２２と共に地板２１に固着させると、時計回路基板２２はアンテナ回路基板５と地板２１の間にあって重ねられるので、時計回路基板２２に形成されている前記受信接続電極（図示せず）とアンテナ回路基板５に形成されている外部接続電極８ａ〜８ｅがそれぞれ密着して電気的に接続される。
【００５８】
これにより、時計回路基板２２とアンテナユニット１は電気的に結合して一体化され、アンテナユニット１で受信した標準電波の受信信号Ｐ５を時計回路基板２２に伝達することが出来る。次に３０はリューズであり、図示しないが複数のスイッチと連動し、使用者が回転することによって時刻修正等の操作を行うことが出来る。また、時計回路基板２２の下面には、秒分モータ２３と時日モータ２４の回転力を秒針、分針、時針等に伝達する輪列機構が配置されているが、本発明に直接関与しない為省略する。また、時計回路基板２２には、様々な導電パターンが形成され、コンデンサ等、複数の電子部品が実装されているが、これらについても省略する。尚、電波修正時計２０は、全体を金属材料等によって成る外装によって覆われるが、図４では、説明の便宜上省略している。
【００５９】
次に、図５に基づいてアンテナユニット１と該アンテナユニット１を組み込んだ電波修正時計２０の回路構成の概略を説明する。図５に於いて、破線で大きく囲ったブロックが図４で示した時計回路基板２２であり、同じく破線で小さく囲ったブロックが電波修正時計２０に組み込まれるアンテナユニット１である。アンテナユニット１の内部構成は図２で詳述したので省略するが、アンテナユニット１は、外部接続電極８ａによってプラス電源Ｖｄｄを入力し、外部接続電極８ｂによってクロック信号Ｐ６を入力し、外部接続電極８ｃによってイネーブル信号Ｐ７を入力し、外部接続電極８ｄによって受信信号Ｐ５を出力し、更に、外部接続電極８ｅによってマイナス電源Ｖｓｓを入力する。
【００６０】
次に、時計回路基板２２の回路構成の概略を説明する。受信ＩＣ２８は図示しないが内部に増幅回路、フィルタ回路、デコード回路等を有し、受信信号Ｐ５を入力して、デジタル信号に変換された復調信号Ｐ１０を出力する。水晶振動子２５、２６は受信ＩＣ２８にそれぞれ接続され、標準電波を選択的に受信するためのフィルタ素子として機能する。例えば、電波修正時計２０が日本国内用に出荷される場合は、福島局の４０ＫＨｚと九州局の６０ＫＨｚに等しい固有振動数を有する水晶振動子を接続すれば良い。また、受信ＩＣ２８には、電源としてプラス電源Ｖｄｄとマイナス電源Ｖｓｓが接続される。
【００６１】
制御手段としてのマイコン２９は図示しないが、発信回路、演算回路、制御回路、モータ駆動回路等を内蔵し、電波修正時計２０の全ての制御を実行する。３１はソーラセルであり、光を入力して発電しソーラ電源Ｐ１１をマイコン２９に供給する。３２は２次電池であり、ソーラセル３１からの電力を充電し、プラス電源Ｖｄｄとマイナス電源Ｖｓｓをマイコン２９と、他のＩＣ等に供給する。時計用の水晶振動子２７は、マイコン２９に接続されて基準信号を発生する。マイコン２９はクロック信号Ｐ６とイネーブル信号Ｐ７を出力し、アンテナユニット１に入力する。３３は時刻を表示する表示手段としての表示部であり、図４で示した秒分モータ２３と時日モータ２４、輪列機構（図示せず）、秒針３
３ａ、分針３３ｂ、時針３３ｃ、日付表示３３ｄ等によって成り、マイコン２９より駆動信号Ｐ１２を入力して駆動される。
【００６２】
次に、電波修正時計２０の動作を図５に基づいて説明する。図５に於いて、ソーラセル３１又は２次電池３２によってプラス電源Ｖｄｄとマイナス電源Ｖｓｓ間に一定の電圧が供給されると、マイコン２９は初期化処理を実行して各回路ブロックを初期化する。この結果、マイコン２９の内部の時刻情報は初期化されてＡＭ００：００：００となり、この初期化された時刻情報に基づいて駆動信号Ｐ１２が出力され、表示部３３の秒針３３ａ、分針３３ｂ、時針３３ｃは基準位置であるＡＭ００：００：００に移動し、また、日付表示３３ｄも基準位置に移動する。
【００６３】
次に、マイコン２９は水晶振動子２７によって得る基準信号を内部で分周して時刻情報の計時を開始し、該時刻情報に基づいて駆動信号Ｐ１２を出力して表示部３３を継続的に駆動する。また、マイコン２９は、外部からの使用者の操作や一定時間毎のタイマー等によって時刻修正モードに移行し、標準電波を受信して表示時刻の自動修正を実行する。
【００６４】
以降、時刻修正モードの動作を説明する。電波修正時計２０が使用者の操作やタイマー等によって時刻修正モードになると、マイコン２９は、クロック信号Ｐ６とイネーブル信号Ｐ７を共に論理“１”としてアンテナユニット１に対して出力する。アンテナユニット１の同調ＩＣ６はクロック信号Ｐ６とイネーブル信号Ｐ７によって内蔵するメモリ回路１３（図３参照）に予め記憶されている同調データＰ８を読み出しカウンタ回路１２（図３参照）にプリセットする。プリセットされたカウンタ回路１２は同調データＰ８に従って出力端子Ｑ０〜Ｑ４から制御信号Ｐ０〜Ｐ４を出力する。Ｎ−ＭＯＳ１１ａ〜１１ｅは制御信号Ｐ０〜Ｐ４を入力して内蔵するコンデンサ１０ａ〜１０ｄ、及び外付けコンデンサ７ａを結合又は分離する。この結果、同調回路の同調周波数が可変され、目的の標準電波を選択的に受信する。
【００６５】
次に、目的の標準電波が受信されると同調ＩＣ６は受信信号Ｐ５を出力し、受信ＩＣ２８に入力する。受信ＩＣ２８は受信信号Ｐ５を入力して増幅し、水晶振動子２５、２６によるフィルタ回路によってノイズ成分等を除去し、更にデコード回路（図示せず）によってデジタル信号に変換し、復調信号Ｐ１０を出力する。次に、復調信号Ｐ１０を入力したマイコン２９は、内部に記憶している解読アルゴリズムを用いて復調信号Ｐ１０を解読し、時分秒日付等の標準時情報を得てマイコン２９の内部に記憶している時刻情報を修正し記憶する。次にマイコン２９は標準時に修正された時刻情報に基づいて駆動信号Ｐ１２を出力し、表示部３３は該駆動信号Ｐ１２を入力して表示時刻を正しく修正する。
【００６６】
尚、本発明は図５で示す回路構成に限定されるものではなく、制御手段としてのマイコン２９を用いずに、それぞれの制御をハードウエアで実現しても良い。また、１つの受信ＩＣ２８に２つの水晶振動子２５、２６を接続して送信周波数の異なる２つの送信局を受信するように構成したが、この構成にも限定されず、２つの受信ＩＣを用いて１つずつの水晶振動子を接続し、２つの送信局を受信しても良い。また、標準電波の受信を１つの送信局だけに限定し、１つの受信ＩＣと１つの水晶振動子だけで構成しても良い。
【００６７】
また、ソーラセル３１によって２次電池３２に充電する電源システムを採用しているが、この構成にも限定されず、ソーラセル３１を用いずに電池を１次電池としても良い。また、表示部３３はアナログ方式の表示部としたが、これにも限定されず、デジタル方式の表示部、または、アナログとデジタルの混合型の表示部でも良い。また、本発明のアンテナユニットは電波修正時計に限定されるものではなく、電波を受信するさまざまな電子機器に組み込むことが可能であり、その応用範囲はたいへん広い。
【００６８】
以上説明したように、アンテナユニット１を組み込んだ電波修正時計２０は、アンテナユニット１単体で同調周波数の調整を行うことが出来るので、製造工程、及び、アフターサービスに於いて多くのメリットを有する。すなわち、製造工程に於いては、電波修正時計２０に組み込まれるアンテナユニット１は、同調回路がアンテナユニット１単体で構成され、且つ、アンテナユニット１単体で同調データを記憶し同調周波数調整が完了するので、時計回路基板２２に同調回路の調整用コンデンサを実装する必要が無く、且つ、同調周波数の調整のために従来例のようにアンテナを取り付けた後で、実装された調整用コンデンサを取り替える作業が不必要である。このため、電波修正時計の組立後の調整工程を無くすことが出来ると共に、時計回路基板２２の部品点数の削減も出来るので、製造工程の簡素化、コストダウン、更に、時計回路基板２２の小型化や信頼性向上にも効果が大きい。
【００６９】
また、電波修正時計２０を使用中に、落下等の原因でアンテナユニット１のアンテナコイル２が破損し壊れた場合などでは、アンテナユニット１の交換が必要となる。この場合に於いては、壊れたアンテナユニット１をコア止め穴３ｂ、３ｃと、回路基板止め穴５ｂとを用いて固着していたネジを緩めて取り外し、新しい良品のアンテナユニットに交換すればよい。ここで、アンテナユニット１は前述した如く、単体で同調周波数の調整が完了しているので、新しいアンテナユニット１が電波修正時計２０に組み込まれたとしても新たな調整は必要なく、組み込み作業だけで修理が完了する。よって、アフターサービスの迅速化やアフターサービスの効率アップに大きな効果を発揮することが出来る。
【００７０】
また、図１又は図４に示すように、アンテナユニット１のアンテナコイル２とアンテナ回路基板５の外形形状は、電波修正時計２０の側部形状（すなわち、地板２１の外形形状）に対応して略円弧形状を有しているので、地板２１に取り付けた場合、アンテナユニット１が地板２１の外形からはみ出ることはほとんどない。このため、電波修正時計２０に、アンテナユニット１を組み込んでも、電波修正時計２０の外形サイズに影響を及ぼすことはほとんどなく、使用者の腕にフィットする小型で使い易い電波修正時計を提供することが出来る。
【００７１】
次に、図６に基づいて本発明のアンテナユニットの同調周波数調整方法について説明する。従来、電波修正時計の同調周波数の調整は、調整用のコンデンサを何種類も用意し、該コンデンサの何れかを時計回路基板に仮実装した後、アンテナコイルとの同調周波数を測定し、同調周波数がずれていた場合は、実装したコンデンサを取り除いて容量が異なる別のコンデンサを再実装して同調周波数を再測定するという、時間と労力のかかる調整方法を採用していた。しかし、本発明のアンテナユニットでは、同調周波数の調整を短時間で且つ、自動的に実施することが出来るので、以下説明する。
【００７２】
図６（ａ）に於いて、アンテナユニット１は前述した如く、アンテナコイル２と同調ＩＣ６とを有している。４０はアンテナユニット１の同調周波数を自動的に調整する自動調整装置であり、図示しないが、内部に交流信号源、交流電圧計、マイコン等による制御部を有している。該自動調整装置４０は、アンテナユニット１から受信信号Ｐ５を入力し、クロック信号Ｐ６、イネーブル信号Ｐ７、及び、書込み信号Ｐ１３をアンテナユニット１に対して出力する。４１は励磁用空芯コイルであり、自動調整装置４０から出力される交流信号Ｐ１４ａ、Ｐ１４ｂによって駆動され、交流磁界４２を出力する。
【００７３】
次に、前記自動調整装置４０を用いた同調周波数調整手順を図７のフローチャートに基づいて説明する。まず、アンテナユニット１を自動調整装置４０にセットし、アンテナユニット１と自動調整装置４０とを電気的に接続する（フローＳＴ１）。ここで、アンテナユニット１を自動調整装置４０にセットすることにより、アンテナユニット１のアンテナコイル２と励磁用空芯コイル４１が近接して配置される。次に自動調整装置４０は、交流
信号Ｐ１４ａ、Ｐ１４ｂを出力して励磁用空芯コイル４１を駆動する（フローＳＴ２）。ここで例えば、アンテナユニット１を４０ＫＨｚの標準電波に同調させたい場合は、４０ＫＨｚの交流信号Ｐ１４ａ、Ｐ１４ｂを出力し、また、６０ＫＨｚの標準電波に同調させたい場合は、６０ＫＨｚの交流信号Ｐ１４ａ、Ｐ１４ｂを出力すれば良い。
【００７４】
次に自動調整装置４０は、イネーブル信号Ｐ７を論理“１”にすると共に、クロック信号Ｐ６は論理“０”を保持する（フローＳＴ３）。この結果、アンテナユニット１の同調ＩＣ６に内蔵されるカウンタ回路１２のカウント数は零を保持するので、同調ＩＣ６のコンデンサ１０ａ〜１０ｄ、及び外付けのコンデンサ７ａは同調回路からすべて切断され、同調回路の同調周波数は最も高い周波数となる（フローＳＴ４）。次にアンテナユニット１のアンテナコイル２は、励磁用空芯コイル４１が発生する交流磁界４２を入力して、電磁誘導によって起電力を誘起し受信信号Ｐ５を出力する（フローＳＴ５）。
【００７５】
次に自動調整装置４０は、受信信号Ｐ５を入力して内部の交流電圧計で測定し、その測定値を内部に記憶する（フローＳＴ６）。次に自動調整装置４０は、測定が終了したかどうかを判定し、肯定判定（すなわち測定終了）の場合は次のフローＳＴ８に進み、否定判定の場合はフローＳＴ３にリターンする（フローＳＴ７）。ここでは、否定判定がなされるのでフローＳＴ３にリターンする。次に自動調整装置４０から１個のクロック信号Ｐ６が出力され、同調ＩＣ６内部のカウンタ回路１２を１つカウントアップする（フローＳＴ３）。次にカウンタ回路１２のカウントアップによってＮ−ＭＯＳ１１ａがＯＮし、コンデンサ１０ａが同調回路に接続され、該同調回路の合成静電容量はコンデンサ１０ａの静電容量分増加し、同調周波数はわずかに低くなる（フローＳＴ４）。
【００７６】
次にアンテナコイル２は、前回と同じように交流磁界４２を入力し、電磁誘導によって起電力を誘起して受信信号Ｐ５を出力する（フローＳＴ５）。自動調整装置４０は、受信信号Ｐ５を入力して内部の交流電圧計で測定し、その測定値を内部に記憶する（フローＳＴ６）。以下同様に、自動調整装置４０は、フローＳＴ３からフローＳＴ７までを繰り返し、測定終了と判定されるとフローＳＴ８へ進む。ここで、同調ＩＣ６のカウンタ回路１２が図３で示すように５Ｂｉｔによって構成されている場合は、カウンタ回路１２が最大カウント数（すなわち３１）になるまでフローＳＴ３からフローＳＴ７が３２回繰り返される。すなわち、３２回目のフローＳＴ３を実行することによりカウンタ回路１２のカウント数は３１となり、すべてのコンデンサ１０ａ〜１０ｄ、７ａ、７ｂが同調回路に接続され、同調周波数は最も低い周波数となる。
【００７７】
ここで、アンテナユニット１から出力される受信信号Ｐ５の信号レベルは、自動調整装置４０からの交流信号Ｐ１４ａ、Ｐ１４ｂの周波数と、アンテナユニット１の同調周波数が一致したとき最大となる。図６（ｂ）は、この受信信号Ｐ５の出力特性を示しており、Ｘ軸はカウンタ回路１２のカウント数であり、Ｙ軸は受信信号Ｐ５の出力レベルの相対値である。尚、ここでは、カウンタ回路は一例として６Ｂｉｔで構成され、最大カウント数は６３である場合の出力特性を示している。図６（ｂ）に於いて、カウント数が少ない領域では受信信号Ｐ５の出力レベルは小さいが、カウント数の増加に伴って受信信号Ｐ５は増加し、カウント数が２８個付近で受信信号Ｐ５は最大となり、それ以降は、カウント数の増加に伴って再び受信信号Ｐ５の出力レベルは減少している。
【００７８】
すなわち、図６（ｂ）の受信信号Ｐ５出力特性から、カウント数２８付近での同調周波数が、交流信号Ｐ１４ａ、Ｐ１４ｂの周波数に対して一致し同調していることが解る。ここで、自動調整装置４０はフローＳＴ７で測定終了を判定すると、内部の制御部によってフローＳＴ６で既に記憶された各カウント数に対する受信信号Ｐ５の出力レベルを調べ、出力レベルが最も大きいカウント数を算出する（フローＳＴ８）。次に自動調整装置４０は、算出した受信信号Ｐ５の出力レベルが最も大きいカウント数を、書込み信号Ｐ１３
によってアンテナユニット１の同調ＩＣ６に転送し、同調データとして同調ＩＣ６内部のメモリ回路１３に書き込む（フローＳＴ９）。すなわち、図６（ｂ）で示す出力特性の場合では、カウント数２８がメモリ回路１３に同調データとして記憶される。以上の調整手順によって、アンテナユニット１の同調周波数調整は完了する。
【００７９】
尚、複数の標準電波を受信するマルチチャンネル仕様のアンテナユニットの調整では、交流信号Ｐ１４ａ、Ｐ１４ｂの周波数をそれぞれ複数の標準電波に等しい周波数に設定し、上記と同様な測定を行い、受信信号Ｐ５の最大値に対応するカウント数をメモリ回路１３に複数記憶すれば、複数の標準電波に対応したアンテナユニットを完成することが出来る。また、図６（ｂ）に於いて、同調回路のＱが低い場合には、受信信号Ｐ５のピーク点がなだらかでピーク点を見つけることが難しい場合がある。このような場合には図６（ｂ）に示すように、受信信号レベルの上昇の傾き（Ｋ１）と下降の傾き（Ｋ２）を自動調整装置４０内の制御部で算出し、二つの傾きのＫ１とＫ２の交点を受信信号Ｐ５の最大値とするなど、コンピュータ・プログラムによって最大値を予測し同調させても良い。
【００８０】
以上のように、本発明のアンテナユニット１は同調周波数の調整に於いて、調整用コンデンサを取り替える等の煩わしい調整作業が不必要であり、自動調整装置４０と励磁用空芯コイル４１によって同調回路の最適な設定値を自動的に検出し、且つ、検出した設定値（すなわちカウント数）を同調データとしてメモリ回路１３に記憶させることが出来る。この結果、アンテナユニットの製造工程での調整工程を自動化出来ると共に、調整工数も短縮出来、コストダウンや信頼性向上に効果が大きい。
【実施例２】
【００８１】
次に、実施例２としての本発明のアンテナユニットの構成を図８に基づいて説明する。尚、実施例１で示したアンテナユニット１と同一要素には同一番号を付し重複する説明は省略する。図８は実施例１の図２と同様にアンテナユニットの側面図であり、５０は本発明の実施例２のアンテナユニットである。５１は高分子樹脂で成形した絶縁性部材としての上ハウジングであり、コア３の上面側（図面上で右側）に接着剤（図示せず）等によって固着される。５１ａは上ハウジング５１の中間部分に位置し一体成形される上絶縁部であり、コア巻線部３ａの両側上面を覆う。５２は同じく高分子樹脂で成形した絶縁性部材としての下ハウジングであり、コア３の下面側（図面上で左側）に接着剤（図示せず）等によって固着される。５２ａは下ハウジング５２の中間部分に位置し一体成形される下絶縁部であり、コア巻線部３ａの両側下面を覆う。
【００８２】
上記構造により、上絶縁部５１ａと下絶縁部５２ａは略同一形状で対を成して上下方向からコア巻線部３ａの周囲全体を覆い、巻線４は上絶縁部５１ａと下絶縁部５２ａの周囲を巻回して形成されるので、コア巻線部３ａと巻線４は、上絶縁部５１ａと下絶縁部５２ａによって電気的に絶縁される。尚、上絶縁部５１ａと下絶縁部５２ａの間には、わずかな空隙５３があるが、これはそれぞれが一体成形される上ハウジング５１と下ハウジング５２の加工誤差を吸収するための隙間である。また、二つのコア止め穴３ｂ、３ｃは、上ハウジング５１とコア３と下ハウジング５２を貫通して形成される。ここで、コア３と上ハウジング５１と下ハウジング５１及び巻線４によってアンテナコイル５４が完成する。また、アンテナ回路基板５は、下ハウジング５２の端部にある下ハウジング凸部５２ｂに固着手段としての接着剤５ａによって固着されアンテナコイル５４と一体化され、アンテナユニット５０が完成する。尚、アンテナ回路基板５に実装される部品等は図８に於いては省略している。
【００８３】
以上のように、本発明の実施例２のアンテナユニット５０は、上ハウジング５１と下ハウジング５２が対を成してコア３を挟み込み、コア巻線部３ａと巻線４の間を電気的に絶縁する。この結果、実施例１で必要であったコア絶縁テープ３ｅが不必要になるので、
コア絶縁テープ３ｅの巻き付け工程が不要になり、また、巻線４とコア巻線部３ａとの絶縁もより確実となるので信頼性向上に効果がある。尚、本発明の実施例２のアンテナユニット５０は、実施例１のアンテナユニット１と同様に電波修正時計２０に組み込まれ、同一の機能を有することはもちろんである。また、上ハウジング５１と下ハウジング５２の形状は、実施例２に限定されず、本発明の要旨を逸脱しない範囲で任意に変更できる。
【図面の簡単な説明】
【００８４】
【図１】本発明の実施例１のアンテナユニットの正面図である。
【図２】本発明の実施例１のアンテナユニットの側面図である。
【図３】本発明のアンテナユニットの回路ブロック図である。
【図４】本発明のアンテナユニットを内部に組み込んだ本発明の電波修正時計の分解正面図である。
【図５】本発明のアンテナユニットを内部に組み込んだ本発明の電波修正時計の回路ブロック図である。
【図６（ａ）】本発明のアンテナユニットの同調周波数の調整方法を説明するブロック図である。
【図６（ｂ）】本発明のアンテナユニットの同調周波数の調整工程で得られる受信信号出力特性グラフである。
【図７】本発明のアンテナユニットの同調周波数調整手順を示すフローチャートである。
【図８】本発明の実施例２のアンテナユニットの側面図である。
【符号の説明】
【００８５】
１、５０  アンテナユニット
２、５４  アンテナコイル
３  コア
３ａ  コア巻線部
３ｂ、３ｃ  コア止め穴
３ｄ  コア溝
３ｅ  コア絶縁テープ
４  巻線
４ａ、４ｂ  巻線端子
５  アンテナ回路基板
５ａ  接着剤
５ｂ  回路基板止め穴
６  同調ＩＣ
７ａ、７ｂ、１０ａ〜１０ｄ  コンデンサ
８ａ〜８ｅ  外部接続電極
９ａ、９ｂ  アンテナ接続電極
１１ａ〜１１ｅ  Ｎ−ＭＯＳ
１２  カウンタ回路
１３  メモリ回路
２０  電波修正時計
２１  地板
２２  時計回路基板
２３  秒分モータ
２３ａ、２４ａ  巻線部
２４  時日モータ
２５、２６、２７  水晶振動子
２８  受信ＩＣ
２９  マイコン
３０  リューズ
３１  ソーラセル
３２  ２次電池
３３  表示部
３３ａ  秒針
３３ｂ  分針
３３ｃ  時針
３３ｄ  日付表示
４０  自動調整装置
４１  励磁用空芯コイル
４２  交流磁界
５１  上ハウジング
５１ａ  上絶縁部
５２  下ハウジング
５２ａ  下絶縁部
５２ｂ  下ハウジング凸部
５３  空隙
Ｐ０〜Ｐ４  制御信号
Ｐ５  受信信号
Ｐ６  クロック信号
Ｐ７  イネーブル信号
Ｐ８  同調データ
Ｐ１０  復調信号
Ｐ１１  ソーラ電源
Ｐ１２  駆動信号
Ｐ１３  書込み信号
Ｐ１４ａ、Ｐ１４ｂ  交流信号
【図１】
2005130055.tif 000003
【図２】
2005130055.tif 000004
【図３】
2005130055.tif 000005
【図４】
2005130055.tif 000006
【図５】
2005130055.tif 000007
【図６（ａ）】
2005130055.tif 000008
【図６（ｂ）】
2005130055.tif 000009
【図７】
2005130055.tif 000010
【図８】
2005130055.tif 000011